(57)【要約】【課題】表示パネルに不均一な圧力が加わることにより、表示パネルの表示に不具合が発生することを軽減する表示パネルの保持構造を提供する。【解決手段】表示パネル５０の保持構造は、実質的に四角形の開口部１１を有するリアケース１０と、開口部１１の周辺を囲むように設けられた複数の弾性シート４１〜４４と、複数の弾性シート４１〜４４を介して開口部１１を塞ぐように設けられた表示パネル５０と、表示パネル５０を複数の弾性シート４１〜４４に押しつけるように設けられた押さえ板６０と、を備える。リアケース１０は、開口部１１の周辺の一部に窪みを有する。複数の弾性シート４１〜４４は、それぞれの一部が互いに重なるように設けられる。複数の弾性シート４１〜４４の重なる部分は、窪みの少なくとも一部を埋めるように構成される。【選択図】図３
2015052771.tif 000002
【特許請求の範囲】
【請求項１】
実質的に四角形の開口部を有する筐体と、
前記開口部の周辺を囲むように設けられた複数の弾性シートと、
前記複数の弾性シートを介して前記開口部を塞ぐように設けられた表示パネルと、
前記表示パネルを前記複数の弾性シートに押しつけるように設けられた押さえ部材と、
を備え、
前記筐体は、前記開口部の前記周辺の一部に窪みを有し、
前記複数の弾性シートは、それぞれの一部が互いに重なるように設けられ、
前記複数の弾性シートの重なる部分は、前記窪みの少なくとも一部を埋めるように構成された、
表示パネルの保持構造。
【請求項２】
前記筐体は、前記開口部の隅の近傍に前記窪みを有する、
請求項１に記載の表示パネルの保持構造。
【請求項３】
前記筐体は、前記開口部の四隅の近傍それぞれに前記窪みを有する、
請求項１に記載の表示パネルの保持構造。
【請求項４】
前記窪みは、底面と、前記底面につながる複数の側面を有し、
前記複数の側面のうち少なくとも一つの側面は、前記底面に対して傾斜する傾斜面であり、
前記複数の弾性シートの少なくとも一つは、前記底面と前記傾斜面に沿うように設けられた、
請求項１に記載の表示パネルの保持構造。
【請求項５】
前記複数の弾性シートは、実質的に矩形である、
請求項１から４のいずれか一項に記載の表示パネルの保持構造。
【請求項６】
実質的に四角形の開口部を有する筐体と、
前記開口部の周辺を囲むように設けられた複数の弾性シートと、
前記複数の弾性シートを介して前記開口部を塞ぐように設けられた表示パネルと、
前記表示パネルを前記複数の弾性シートに押しつけるように設けられた押さえ部材と、
を備え、
前記筐体は、前記開口部の前記周辺の一部に窪みを有し、
前記複数の弾性シートは、それぞれの一部が互いに重なるように設けられ、
前記複数の弾性シートの重なる部分は、前記窪みの少なくとも一部を埋めるように構成された、表示パネルの保持構造と、
イメージセンサを備え、
前記イメージセンサにより得られた画像を前記表示パネルに表示するように構成された撮像装置。
【請求項７】
さらに前記筐体は、前記開口部の四隅の近傍それぞれに前記窪みを有する、
請求項６に記載の撮像装置。
【請求項８】
前記複数の弾性シートは、実質的に矩形である、
請求項６または７に記載の撮像装置。
【発明の詳細な説明】
【技術分野】
【０００１】
本開示技術は、表示パネルの保持構造に関する。また、この保持構造が用いられる撮像装置に関する。
【背景技術】
【０００２】
表示パネルの前面と前面パネルとの間に異物の侵入を少なくする技術が知られている（例えば、特許文献１参照）。
【先行技術文献】
【特許文献】
【０００３】
【特許文献１】特開２００２−１０８２３５号公報
【発明の概要】
【発明が解決しようとする課題】
【０００４】
本開示は、表示パネルに不均一な圧力が加わることにより、表示パネルの表示に不具合が発生することを軽減する表示パネルの保持構造を提供する。
【課題を解決するための手段】
【０００５】
本開示の表示パネルの保持構造は、実質的に四角形の開口部を有する筐体と、開口部の周辺を囲むように設けられた複数の弾性シートと、複数の弾性シートを介して開口部を塞ぐように設けられた表示パネルと、表示パネルを複数の弾性シートに押しつけるように設けられた押さえ部材と、を備える。筐体は、開口部の周辺の一部に窪みを有する。複数の弾性シートは、それぞれの一部が互いに重なるように設けられる。複数の弾性シートの重なる部分は、窪みの少なくとも一部を埋めるように構成される。
【発明の効果】
【０００６】
本開示によれば、表示パネルに不均一な圧力が加わり、表示パネルの表示に不具合が発生することを軽減できる。
【図面の簡単な説明】
【０００７】
【図１】デジタルカメラの斜視図
【図２】デジタルカメラの構成を示す概略図
【図３】デジタルカメラの背面部の分解斜視図
【図４】デジタルカメラが有するリアケースの正面図
【図５】リアケースに弾性シートが設けられた状態を示す正面図
【図６】図５における６−６線断面の一部を示す分解図
【図７】図５における６−６線断面の一部を示す図
【図８】図５における８−８線断面の一部を示す図
【図９Ａ】弾性シートの第１変形例と窪みの位置関係を示す図
【図９Ｂ】弾性シートの第２変形例と窪みの位置関係を示す図
【図９Ｃ】弾性シートの第３変形例と窪みの位置関係を示す図
【図９Ｄ】弾性シートの第４変形例と窪みの位置関係を示す図
【図９Ｅ】弾性シートの第５変形例と窪みの位置関係を示す図
【発明を実施するための形態】
【０００８】
以下に、実施の形態が詳細に説明される。実施の形態の説明には、適宜図面が参照される。但し、必要以上に詳細な説明は、省略される場合がある。例えば、既によく知られた事項の詳細な説明や、実質的に同一の構成についての重複した説明は、省略される場合がある。説明が冗長になることを避け、当業者の理解を容易にするためである。
【０００９】
なお、発明者らは、当業者が本開示を十分に理解するために添付図面および以下の説明を提供する。発明者らは、請求の範囲に記載された主題が本開示によって限定されることを意図しない。
［１．デジタルカメラ１００の構成］
以下、デジタルカメラ１００を例に説明がなされる。図１〜図３に示されるように、デジタルカメラ１００は、背面ユニット１１０、前面ユニット１２０およびレンズユニット１３０を備える。
【００１０】
背面ユニット１１０は、デジタルカメラ１００の背面側（操作者側）を構成する部材である。背面ユニット１１０は、表示部２１０、ファインダー２２０などを含む。前面ユニット１２０は、デジタルカメラ１００の前面側（被写体側）を構成する部材である。前面ユニット１２０は、ＣＭＯＳ（Ｃｏｍｐｌｅｍｅｎｔａｌｙ  Ｍｅｔａｌ  Ｏｘｉｄｅ  Ｓｅｍｉｃｏｎｄｕｃｔｏｒ）イメージセンサ３１０などを含む。レンズユニット１３０は、前面ユニット１２０に着脱可能に取り付けられる。レンズユニット１３０は、不図示のレンズなどを含む。
［２．前面ユニット１２０の構成］
前面ユニット１２０は、主な構成としてシャッターユニット３４０、ＣＭＯＳイメージセンサ３１０、イメージセンサ制御基板３２０、メイン制御基板３３０を有する。シャッターユニット３４０は、レンズユニット１３０を介してＣＭＯＳイメージセンサ３１０に入射する光量を調節する。ＣＭＯＳイメージセンサ３１０は、被写体の光学像を撮像して画像データを生成する。ＣＭＯＳイメージセンサ３１０は、光学像を電気信号に変換するイメージセンサの一例である。イメージセンサには、ＣＣＤ（Ｃｈａｒｇｅ  Ｃｏｕｐｌｅｄ  Ｄｅｖｉｃｅ）イメージセンサを用いてもよい。
【００１１】
イメージセンサ制御基板３２０は、ＣＭＯＳイメージセンサ３１０の動作を制御する回路基板である。イメージセンサ制御基板３２０は、アナログ／デジタル変換機能、ＣＭＯＳイメージセンサ３１０が生成した画像データを処理する機能などを備えてもよい。
【００１２】
メイン制御基板３３０は、デジタルカメラ１００全体を制御する。メイン制御基板３３０は、不図示のＣＰＵ（Ｃｅｎｔｒａｌ  Ｐｒｏｃｅｓｓｉｎｇ  Ｕｎｉｔ）、不図示のメモリ等を有する。
［３．背面ユニット１１０の構成］
図１〜図３に示されるように、背面ユニット１１０は、表示部２１０、ファインダー２２０を有する。表示部２１０は、表示パネル５０によって表示される画像等を表示するように構成される。ファインダー２２０は、表示部２１０と同じ画像を表示する場合と、異なる画像を表示する場合がある。表示部２１０の表示内容とファインダー２２０の表示内容は、メイン制御基板３３０によって制御される。ファインダー２２０は、一例として、電子ビューファインダーである。電子ビューファインダーには、表示用に液晶パネルなどが用いられる。
【００１３】
図３に示されるように、背面ユニット１１０は、リアケース１０、透明板２０、接着部材３０と、弾性シート４１、４２、４３、４４（以降、弾性シート４１〜４４と記載される場合がある）、表示パネル５０、フレキシブルプリント基板５１および押さえ板６０を有する。
【００１４】
図４に示されるように、リアケース１０は、実質的に四角形の開口部１１を有する。より詳細には、開口部１１は、実質的に矩形である。リアケース１０は、一例として、成形加工された樹脂で構成される。
【００１５】
透明板２０は、一例として、実質的に矩形のアクリル板で構成される。透明板２０は、ポリカーボネート板で構成されてもよい。透明板２０は、開口部１１の外装側（操作者側）を塞ぐように設けられる。透明板２０は、周辺環境に存在するほこりや水分などから表示パネル５０を保護する。透明板２０は、枠状の接着部材３０により、リアケース１０の外装側に固定される。
【００１６】
弾性シート４１〜４４は、一例として、実質的に矩形のウレタンゴムで構成される。弾性シート４１〜４４は、それぞれ開口部１１の内装側の周囲に配置される。弾性シート４１〜４４は、開口部１１の周囲を囲むように配置される。
【００１７】
表示パネル５０は、弾性シート４１〜４４を介して押さえ板６０によってリアケース１０に固定される。
【００１８】
表示パネル５０には、一例として、液晶パネルが用いられる。表示パネル５０には、信号等を表示パネル５０に供給するフレキシブルプリント基板５１が接続されている。また、液晶パネルに、透過型液晶パネルが用いられる場合には、不図示のバックライトが設けられる。液晶パネルに反射型液晶パネルが用いられる場合には、不図示のフロントライトが設けられる。表示パネル５０には、液晶パネルの他にも有機ＥＬ（Ｅｌｅｃｔｒｏ  Ｌｕｍｉｎｅｓｃｅｎｓｅ）などの画像を表示するデバイスであれば、用いられ得る。
【００１９】
本実施の形態において、表示パネル５０は、デジタルカメラ１００の背面側に設けられている。具体的には、表示パネル５０は、リアケース１０に配置されている。しかし、表示パネル５０は、デジタルカメラ１００の側面や上面等に配置されてもよい。
【００２０】
押さえ板６０は、一例として、成形加工されたアルミニウム板で構成される。押さえ板６０は、一例として、不図示のネジによって、リアケース１０に固定される。表示パネル５０が押さえ板６０によってリアケース１０に固定されることで、表示パネル５０の表示面上に異物が侵入することを軽減する。
［４．リアケース１０の構成］
図３、図４等に示されるように、リアケース１０は、内部に開口部１１を有する。開口部１１は、実質的に四角形である。より具体的には、開口部１１は長方形である。図４に示されるように、リアケース１０の内装側には、表示パネル５０を配置する領域１３が設けられている。領域１３は、図４において破線で示される領域である。つまり、領域１３は開口部１１の外周を囲む領域である。
【００２１】
領域１３において、開口部１１が有する四隅の近傍に窪み１２１、１２２、１２３、１２４（以降、窪み１２１〜１２４と記載される場合がある）が設けられている。図４において、開口部１１の左上部にある隅の近傍には、窪み１２１が設けられている。開口部１１の右上部にある隅の近傍には、窪み１２２が設けられている。開口部１１の左下部にある隅の近傍には、窪み１２３が設けられている。開口部１１の右下部にある隅の近傍には、窪み１２４が設けられている。図４に示されるように、窪み１２１〜１２４は、正面から見て実質的に矩形である。
【００２２】
図５に示されるように、弾性シート４１〜４４は、領域１３に配置される。弾性シート４１、４４のそれぞれは、開口部１１が有する二つの長辺に対応する位置に配置される。弾性シート４２、４３のそれぞれは、開口部１１が有する二つの短辺に対応する位置に配置される。つまり、弾性シート４１〜４４は、開口部１１の周辺を囲むように設けられる。弾性シート４１〜４４とリアケース１０は、一例として、不図示の両面テープで接着される。なお、図５に示されるように、弾性シート４１〜４４は、正面から見て実質的に矩形である。
【００２３】
図５において、弾性シート４１の右端部は、窪み１２４の少なくとも一部を埋めるように配置される。弾性シート４１の左端部は、窪み１２３の少なくとも一部を埋めるように配置される。弾性シート４４の左端部は、窪み１２１の少なくとも一部を埋めるように配置される。弾性シート４４の右端部は、窪み１２２の少なくとも一部を埋めるように配置される。弾性シート４３の上端部は、弾性シート４４の左端部を介して、窪み１２１に対応する位置に配置される。弾性シート４３の下端部は、弾性シート４１の左端部を介して、窪み１２３に対応する位置に配置される。弾性シート４２の上端部は、弾性シート４４の右端部を介して、窪み１２２に対応する位置に配置される。弾性シート４３の下端部は、弾性シート４１の右端部を介して、窪み１２４に対応する位置に配置される。
【００２４】
図６〜図８に示されるように、窪み１２４は、傾斜面１２ａ、底面１２ｂ、傾斜面１２ｃを含む。傾斜面１２ａは、底面１２ｂに対して傾斜する。傾斜面１２ｃは、底面１２ｂに対して傾斜する。底面１２ｂの幅（Ｅ２）は、弾性シート４２の幅（Ｃ２）より大きい。
【００２５】
図６、図７に示されるように、弾性シート４１、４２は、組立てによって厚み方向に圧縮される。つまり、組立て前の厚み（Ｃ１）と組立て後の厚み（Ｄ１）を比較すると、Ｃ１＞Ｄ１の関係が成り立つ。図７に示されるように、底面１２ｂの深さ（Ｄ２）は、弾性シート４１と弾性シート４２が重ねて配置された場合に、圧縮後の弾性シート４１の厚み（Ｄ１）と実質的に同等になるように構成される。圧縮前の弾性シート４１、４２それぞれの厚み（Ｃ１）は、Ｄ１とＤ２の合計より大きいことが好ましい。
【００２６】
図６、図７には示されていないが、弾性シート４３、４４についても同様の関係が成り立つ。弾性シート４１〜４４は、それぞれが別の材料で構成されてもよい。しかし、弾性シート４１〜４４は、それぞれが同材料で構成されるとより好ましい。同じ弾性率を有することにより、構造設計が容易になるからである。
【００２７】
図７に示されるように、弾性シート４１の右端部は、傾斜面１２ａに沿って配置される。窪み１２４が傾斜面１２ａを有するので、弾性シート４１の窪み１２４に対する形状追従性が向上する。図８に示されるように、弾性シート４２の下端部における弾性シート４１と重ならない部分は、傾斜面１２ｃに沿って配置される。窪み１２４が傾斜面１２ｃを有するので、弾性シート４２の窪み１２４に対する形状追従性が向上する。
【００２８】
図示されないが、窪み１２１、１２２、１２３も同様に傾斜面１２ａ、底面１２ｂ、傾斜面１２ｃを有する。よって、弾性シート４１〜４４が表示パネル５０に与える圧力は、より均一になる。そのため、表示パネル５０の表示に不具合（例えば、モアレ）が発生することを軽減できる。
【００２９】
なお、弾性シート４１〜４４の位置関係は上記の開示に限られない。例えば、弾性シート４３の下端部は、窪み１２３の少なくとも一部を埋めるように配置されてもよい。弾性シート４３の上端部は、窪み１２１の少なくとも一部を埋めるように配置されてもよい。
【００３０】
この場合、弾性シート４１の左端部は、弾性シート４３の下端部を介して窪み１２３に対応する位置に配置される。弾性シート４４の左端部は、弾性シート４３の上端部を介して窪み１２１に対応する位置に配置される。
【００３１】
例えば、弾性シート４２の下端部は、窪み１２４の少なくとも一部を埋めるように配置されてもよい。弾性シート４２の上端部は、窪み１２２の少なくとも一部を埋めるように配置されてもよい。
【００３２】
この場合、弾性シート４１の右端部は、弾性シート４２の下端部を介して窪み１２４に対応する位置に配置される。弾性シート４４の右端部は、弾性シート４２の上端部を介して窪み１２２に対応する位置に配置される。
［５．変形例］
開示された弾性シート４１〜４４および窪み１２１〜１２４は、一例に過ぎない。以下に、複数の変形例が説明される。なお、図９Ａ〜Ｅにおいては、弾性シートの形状、弾性シートと窪みとの位置関係、弾性シートと開口部との位置関係が示される。その他の構成については図示および説明が省略される。
【００３３】
図９Ａに示される第１の変形例は、二つのＵ字形状の弾性シート４０１、４０２と、二つの窪み１２５を有する。弾性シート４０１と弾性シート４０２は、Ｕ字形状の上端部において互いに重なるように配置される。弾性シート４０１と弾性シート４０２が重なっている二つの領域には、それぞれ窪み１２５が設けられている。窪み１２５は、開口部１１の長辺に対応する位置に設けられている。つまり、第１の変形例においては、弾性シート４０１、４０２のＵ字形状における底部が、開口部１１の短辺それぞれに対応するように構成される。なお、弾性シート４０１、４０２のＵ字形状における底部が、開口部１１の長辺に対応するように構成されてもよい。この場合、窪み１２５は、開口部１１の短辺に対応する位置に設けられる。
【００３４】
図９Ｂに示される第２の変形例は、二つのＬ字形状の弾性シート４０３、４０４を有する。弾性シート４０３の長辺側端部と弾性シート４０４の短辺側端部が重なるように配置される。弾性シート４０３の短辺側端部と弾性シート４０４の長辺側端部が重なるように配置される。弾性シート４０３と弾性シート４０４が重なっている二つの領域には、それぞれ窪み１２６が設けられている。二つの窪み１２６のそれぞれは、開口部１１の対角にある二つの隅の近傍に設けられている。
【００３５】
図９Ｃに示される第３の変形例は、Ｌ字形状の弾性シート４０５と、矩形の弾性シート４０６、４０７を有する。弾性シート４０５の長辺側端部と、弾性シート４０６の一端部が重なるように配置される。弾性シート４０５の短辺側端部と、弾性シート４０７の一端部が重なるように配置される。弾性シート４０６の他端部と弾性シート４０７の他端部が重なるように配置される。弾性シート４０６は、弾性シート４０５の短辺と対向する位置に配置される。弾性シート４０７は、弾性シート４０５の長辺と対向する位置に配置される。弾性シート４０５、４０６、４０７が重なっている三つの領域には、それぞれ窪み１２７が設けられている。三つの窪み１２７のそれぞれは、開口部１１の三つの隅の近傍に設けられている。
【００３６】
図９Ｄに示される第４の変形例は、Ｕ字形状の弾性シート４０８と、矩形の弾性シート４０９を有する。弾性シート４０８のＵ字形状の上端部と、弾性シート４０９の両端部が重なるように配置される。弾性シート４０８と弾性シート４０９が重なっている二つの領域には、それぞれ窪み１２８が設けられている。二つの窪み１２８のそれぞれは、開口部１１の一つの短辺の両端にある二つの隅の近傍に設けられている。第４の変形例においては、弾性シート４０８のＵ字形状における底部が、開口部１１の短辺に対応するように構成される。しかし、弾性シート４０８のＵ字形状における底部が、開口部１１の長辺に対応するように構成されてもよい。
【００３７】
図９Ｅに示される第５の変形例は、Ｌ字形状の弾性シート４１０、４１１、４１２、４１３を有する。弾性シート４１０の短辺側端部は、弾性シート４１２の短辺側端部と重なるように配置される。弾性シート４１０の長辺側端部は、弾性シート４１１の長辺側端部と重なるように配置される。弾性シート４１１の短辺側端部は、弾性シート４１３の短辺側端部と重なるように配置される。弾性シート４１２の長辺側端部は、弾性シート４１３の長辺側端部と重なるように配置される。弾性シート４１０、４１１、４１２、４１３が互いに重なっている四つの領域には、それぞれ窪み１２９が設けられている。四つの窪み１２９のそれぞれは、開口部１１の四辺に対応する位置に設けられている。
【００３８】
なお、それぞれの変形例において、窪みは、底面と、底面につながる複数の側面を有してもよい。複数の側面のうち少なくとも一つの側面は、底面に対して傾斜する傾斜面であってもよい。弾性シートの少なくとも一つは、底面と傾斜面に沿うように設けられてもよい。
［６．効果等］
本開示のデジタルカメラ１００は、以下の表示パネル５０の保持構造を備える。表示パネル５０の保持構造は、実質的に四角形の開口部１１を有するリアケース１０と、開口部１１の周辺を囲むように設けられた複数の弾性シート４１〜４４と、複数の弾性シート４１〜４４を介して開口部１１を塞ぐように設けられた表示パネル５０と、表示パネル５０を複数の弾性シート４１〜４４に押しつけるように設けられた押さえ板６０と、を備える。リアケース１０は、開口部１１の周辺の一部に窪み１２１〜１２４を有する。複数の弾性シート４１〜４４は、それぞれの一部が互いに重なるように設けられる。複数の弾性シート４１〜４４の重なる部分は、窪み１２１〜１２４の少なくとも一部を埋めるように構成される。
【００３９】
本開示の表示パネルの保持構造は、押さえ板６０によって、表示パネル５０を弾性シート４１〜４４を介して、リアケース１０に押さえ付ける。よって、表示パネル５０が、リアケース１０に固定される。さらに、リアケース１０が有する窪み１２１〜１２４に、弾性シート４１〜４４の重なる部分が対応するように配置される。よって、弾性シート４１〜４４の圧縮量がより均一になる。したがって、表示パネル５０により均一な圧力が加わる。そのため、表示パネル５０と透明板２０の隙間に異物などの不要物が侵入しづらくなる。さらに、モアレなどに代表される表示パネル５０の不具合の発生が軽減される。
【００４０】
本開示において、弾性シートの形状には、正面から見て、実質的に、矩形、Ｕ字形状、Ｌ字形状などが用いられ得る。これらの形状を有する複数の弾性シートの組み合わせが用いられる。これは、弾性シートの製造コストの観点から優位である。具体的には、弾性シートは、材料シートを型抜きや裁断などの形状加工することにより製造される。よって、開口部１１より大きい開口部を有する一つの弾性シートを用いると、材料シートの単位面積あたりに得られる弾性シートの数がより少なくなる。したがって、本開示の弾性シートを用いることにより、弾性シートの製造コストがより低減される。
【００４１】
本開示の表示パネルの保持構造が有する窪みは、底面と、底面につながる複数の側面を有する。複数の側面のうち少なくとも一つの側面は、底面に対して傾斜する傾斜面である。複数の弾性シートの少なくとも一つは、底面と傾斜面に沿うように設けられてもよい。本構成によって、弾性シートの形状追従性が向上する。よって、リアケース１０と表示パネル５０の間の隙間の発生が軽減される。
【００４２】
本開示においては、一例として、デジタルカメラ１００の表示部２１０を構成する表示パネル５０の保持構造についての説明がなされた。しかし、ファインダー２２０を構成する表示パネルの保持構造に適用することもできる。
【００４３】
本開示においては、一例として、デジタルカメラ１００についての説明がなされた。しかし、本開示の表示パネルの保持構造を適用可能な分野はデジタルカメラに限られない。表示パネルを備えた種々の機器に適用可能である。例えば、スマートフォン、携帯電話機、機器操作用のリモートコントローラ、液晶テレビなどが上げられる。
【００４４】
以上のように、本開示における技術の例示として、実施の形態が説明された。そのために、添付図面および詳細な説明が提供された。
【００４５】
また、上述の実施の形態は、本開示における技術を例示するためのものである。よって、特許請求の範囲またはその均等の範囲において種々の変更、置き換え、付加、省略などを行うことができる。
【産業上の利用可能性】
【００４６】
本開示は、表示パネルを備える電子機器に適用可能である。具体的には、デジタルカメラ、スマートフォンなどに適用可能である。
【符号の説明】
【００４７】
１０    リアケース
１１    開口部
１２ａ，１２ｃ    傾斜面
１２ｂ    底面
１３    領域
２０    透明板
３０    接着部材
４１，４２，４３，４４，４０１，４０２，４０３，４０４，４０５，４０６，４０７，４０８，４０９，４１０，４１１，４１２，４１３    弾性シート
５０    表示パネル
５１    フレキシブルプリント基板
６０    押さえ板
１００    デジタルカメラ
１１０    背面ユニット
１２０    前面ユニット
１２１，１２２，１２３，１２４，１２５，１２６，１２７，１２８，１２９    窪み
１３０    レンズユニット
２１０    表示部
２２０    ファインダー
３１０    ＣＭＯＳイメージセンサ
３２０    イメージセンサ制御基板
３３０    メイン制御基板
３４０    シャッターユニット
【図１】
2015052771.tif 000003
【図２】
2015052771.tif 000004
【図３】
2015052771.tif 000005
【図４】
2015052771.tif 000006
【図５】
2015052771.tif 000007
【図６】
2015052771.tif 000008
【図７】
2015052771.tif 000009
【図８】
2015052771.tif 000010
【図９Ａ】
2015052771.tif 000011
【図９Ｂ】
2015052771.tif 000012
【図９Ｃ】
2015052771.tif 000013
【図９Ｄ】
2015052771.tif 000014
【図９Ｅ】
2015052771.tif 000015